(57)【要約】【課題】コイル端末同士が交差する状態であっても、コイル端末同士のショートを生じさせない磁性素子を提供すること。【解決手段】本発明の磁性素子１０は、コア２０と、絶縁性の被膜によって覆われている導線３１が巻回された状態でコアに配置されている第１及び第２のコイル３０と、コア２０を保持すると共に、複数の端子を有する端子台部４３を備えるケース４０と、を具備し、第１及び第２のコイル３０の巻回部３２から延びる第１及び第２のコイル端末３３が互いに交差するように配置され、コイル端末３３Ａが端子台部４３の表側を通って端子５０Ｂに絡げられ、コイル端末３３Ｂが端子台部４３の裏側を通って端子５０Ａに絡げられる。【選択図】図１
2011040443.tif 000002
【特許請求の範囲】
【請求項１】
コアと、
絶縁性の被膜によって覆われている導線が巻回された状態で上記コアに配置されている第１及び第２のコイルと、
上記コアを保持すると共に、複数の端子を有する端子台部を備えるケースと、
を具備し、
上記第１及び第２のコイルの巻回部から延びる第１及び第２のコイル端末が互いに交差するように配置され、
上記第１及び第２のコイル端末のうちいずれか一方が上記端子台部の表側を通っていずれか一の上記端子に絡げられ、上記第１及び第２のコイル端末のうちいずれか他方が上記端子台部の裏側を通っていずれか他の上記端子に絡げられる、
ことを特徴とする磁性素子。
【請求項２】
請求項１記載の磁性素子であって、
前記ケースの内部には、前記端子台部よりも当該ケースの内方に向かって突出すると共に前記端子台部に向かう前記コアの移動を規制する突出部が設けられていることを特徴とする磁性素子。
【請求項３】
請求項１または２記載の磁性素子であって、
前記ケースの内部には、前記端子台部とは異なる少なくとも２つの内壁面から突出する少なくとも３つ以上のリブが設けられていると共に、
上記リブは、突出の先端に向かうにつれて尖形状に設けられていて、
この尖形状のリブを先端側から押し潰すことにより、前記コアが前記ケースの内部に保持される、
ことを特徴とする磁性素子。
【発明の詳細な説明】
【技術分野】
【０００１】
本発明は、各種の電子機器に用いられる磁性素子に関する。
【背景技術】
【０００２】
特許文献１には、コイル（２２）の表面下に形成された溝（１４）内に層間絶縁膜（２４）が埋設されていて、この層間絶縁膜（２４）により、超電導薄膜クロス接続配線部（２５）がコイル（２２）と交差する構成が実現されている。また、特許文献２には、リード１４，１５を回路パターン２２ａ〜２３ｂへ接続させることにより、プリント基板２１に形成されている回路パターン２４に対して、回路パターン２２ａ〜２３ｂが交差している構成が実現されている。さらに、特許文献３には、コイルリード５（１１）がコイル４（１０）から引き出されると共に、このコイルリード５（１１）が交差している構成が開示されている。
【先行技術文献】
【特許文献】
【０００３】
【特許文献１】特開平８−１３９３７６号公報（要約等参照）
【特許文献２】特開昭６２−９８６０９号公報（第３頁右上欄、第３図等参照）
【特許文献３】特開平３−２１８６１０号公報（各図参照）
【発明の概要】
【発明が解決しようとする課題】
【０００４】
ところで、磁性素子の中には、上述の特許文献３に開示されているように、複数の端子が並んで配置されているものが存在する。このような磁性素子において、たとえば実装される基板（実装基板）の回路パターン等によっては、特許文献３の第１図等に示されるように、コイルリード（コイル端末）同士が端子に絡げられるまでの間の部分に、互いに重ねられて交差する部位が存在することがある。
【０００５】
このようなコイル端末同士の交差部分においては、その交差部分で何等かの要因によりコイル端末を覆う被膜が剥離して、コイル端末同士がショートすることがある。その要因としては、たとえば半田付けの際に交差部分に熱が伝わり被膜が溶ける場合があり、またその他の要因としては、被膜の損傷、被膜の劣化等によりコイル端末同士がショートする場合もある。また、半田付け以外の熱的な要因（たとえば磁性素子の製造時・使用時の過加熱等）により、コイル端末の被膜が溶けて、コイル端末同士のショートを引き起こす場合もある。
【０００６】
このような課題に対して、特許文献１に開示の内容を適用しても、当該特許文献１は、半導体製造技術を用いて作成されるコイルに関するものであり、コイル端末の被膜が溶ける等の問題が生じなく、よって上述のコイル端末同士のショートを解決することはできない。また、特許文献２に開示の内容は、コイル端末同士が互いに接触する等の状態が存在しないため、この構成を適用しても上述のコイル端末同士のショートを解決することはできない。さらに、特許文献３には、コイル端末同士が互いに交差する部分は存在するものの、その部分においてコイル端末同士のショートを無くする点については、何等開示されていない。
【０００７】
本発明は上記の事情にもとづきなされたもので、その目的とするところは、コイル端末同士が交差する状態であっても、コイル端末同士のショートを生じさせない磁性素子を提供しよう、とするものである。
【課題を解決するための手段】
【０００８】
上記課題を解決するために、本発明の磁性素子の第１の側面は、コアと、絶縁性の被膜によって覆われている導線が巻回された状態でコアに配置されている第１及び第２のコイルと、コアを保持すると共に、複数の端子を有する端子台部を備えるケースと、を具備し、第１及び第２のコイルの巻回部から延びる第１及び第２のコイル端末が互いに交差するように配置され、第１及び第２のコイル端末のうちいずれか一方が端子台部の表側を通っていずれか一の端子に絡げられ、第１及び第２のコイル端末のうちいずれか他方が端子台部の裏側を通っていずれか他の端子に絡げられるものである。
【０００９】
このように構成する場合には、第１及び第２のコイル端末が互いに交差するものの、第１及び第２のコイル端末のうちいずれか一方は端子台部の表側を通り、いずれか他方は端子台部の裏側を通って、それぞれ異なる端子に至る。そのため、第１のコイル端末と第２のコイル端末とは、互いに接触せず（重ねられず）に離れた状態とすることができる。それにより、第１のコイル端末と第２のコイル端末との間でショートが生じるのを防止することが可能となる。
【００１０】
また、本発明の磁性素子の他の側面は、上述の発明において、ケースの内部には、端子台部よりも当該ケースの内方に向かって突出すると共に端子台部に向かうコアの移動を規制する突出部が設けられていることが好ましい。
【００１１】
このように構成する場合、ケースの内部におけるコアの移動が突出部によって規制される。そのため、第１及び第２のコイル端末がコアと端子台部との間に挟まれて、断線等する不具合を防止可能となる。
【００１２】
さらに、本発明の磁性素子の他の側面は、上述の発明において、ケースの内部には、端子台部とは異なる少なくとも２つの内壁面から突出する少なくとも３つ以上のリブが設けられていると共に、リブは、突出の先端に向かうにつれて尖形状に設けられていて、この尖形状のリブを先端側から押し潰すことにより、コアがケースの内部に保持されることが好ましい。
【００１３】
このように構成する場合、リブの突出の先端側がコアによって押し潰されることにより、当該リブによってコアがケースに保持される。このため、ケースは、接着剤等を用いることなく、コアを保持可能となる。また、コアによりリブの突出の先端側が押し潰されるので、リブとコアとの間には所定の押し付け力が作用する。そのため、ケースの内部でコアが移動するのを防止する摩擦力を良好に与えることが可能となる。
【発明の効果】
【００１４】
本発明によると、コイル端末同士が交差する状態であっても、コイル端末同士のショートが生じるのを防止可能となる。
【図面の簡単な説明】
【００１５】
【図１】本発明の第１の実施の形態に係る磁性素子の構成を示す斜視図である。
【図２】図１の磁性素子の構成を示す側面図である。
【図３】図１の磁性素子のうち、ケースとメガネ型コアとの位置関係を示す底面図である。
【図４】図１の磁性素子において、磁性素子のＸ軸方向の中心においてＹＺ平面で切断した状態を示す側断面図である。
【図５】図１の磁性素子のメガネ型コアの構成を示す側面図である。
【図６】図１の磁性素子のケースの構成を示す斜視図である。
【図７】図１の磁性素子において、コイル端末の導出の様子を拡大して示す側面図である。
【図８】本発明の第２の実施の形態に係る磁性素子の構成を示す斜視図である。
【図９】本発明の第２の実施の形態に係る磁性素子のケースの構成を示す正面断面図である。
【図１０】本発明の第２の実施の形態において用いられるフープ材の構成を示す斜視図である。
【発明を実施するための形態】
【００１６】
（第１の実施の形態）
以下、本発明の第１の実施の形態に係る、磁性素子１０について、図１から図７に基づいて説明する。
【００１７】
なお、以下の説明においては、図１に示される、Ｘ１，Ｘ２，Ｙ１，Ｙ２，Ｚ１，Ｚ２を用いて説明するが、必要に応じて、Ｘ１側を左側、Ｘ２側を右側、Ｙ１を奥側、Ｙ２を手前側、Ｚ１を上側、Ｚ２を下側として説明する。
【００１８】
図１等に示すように、本実施の形態の磁性素子１０は、トランスであり、メガネ型コア２０と、コイル３０と、ケース４０とを備えている。これらのうち、メガネ型コア２０は、コアに対応している。このメガネ型コア２０は、図２、図４および図５等に示すように、Ｘ２からＸ１に向かうように見ると、円形状をＹ軸に沿って引き伸ばした外形を有していて、その引き伸ばしに対応する部分は矩形を為している。そして、矩形の引き伸ばしに対応する部分の端部に、半円形状が位置する外観を呈している。
【００１９】
また、メガネ型コア２０は、Ｘ軸を中心とする２つの貫通孔２１を有している。それぞれの貫通孔２１の中心は、上述の半円形状の径方向中心と一致している。また、２つの貫通孔２１の直径は、互いに同じか、または略同じとなっている。また、２つの貫通孔２１は、所定の間隔だけ離間している。このメガネ型コア２０は、その正面形状および平面形状が、それぞれ矩形状を呈している。
【００２０】
なお、メガネ型コア２０は、その材質を磁性材としているが、磁性材としては、例えば、ニッケル系のフェライトまたはマンガン系のフェライト等の種々のフェライト、パーマロイ、センダスト等を用いることが可能である。
【００２１】
このメガネ型コア２０には、導線３１を巻回することにより、コイル３０が配置される。コイル３０は、本実施の形態では、２つ（一次側のコイルと二次側のコイル等）配置されている。２つのコイル３０は、メガネ型コア２０のうち、２つの貫通孔２１（以後、２つの貫通孔２１を区別する必要がある場合、手前側（Ｙ２側）に位置する貫通孔２１を貫通孔２１Ａとし、奥側（Ｙ１側）に位置する貫通孔２１を貫通孔２１Ｂとする。）の間に存在する部分（以後、この部分を中間部２２とする。）に巻回される。そして、この巻回によって、コイル３０の巻回部３２が構成されている。また、それぞれのコイル３０には、巻回部３２から延伸している一対のコイル端末３３（すなわち、本実施の形態では、コイル端末３３は合計４つ）が存在する。また、２つのコイル３０は、Ｚ軸方向に沿って、隣り合うように配置される。
【００２２】
なお、２つのコイル３０は、メガネ型コア２０のうち、それぞれの貫通孔２１からメガネ型コア２０のＹ軸方向の端部に掛けての部分（以後、この部分を端部２３（図５参照）とする。）に巻回されるようにしても良い。また、コイル３０の個数は、２つに限られるものではなく、３つ以上としても良い。
【００２３】
また、上述のメガネ型コア２０は、ケース４０に取り付けられる。ケース４０は、たとえば樹脂のような絶縁性を有すると共に非磁性の材質から形成されている。このケース４０は、図１、図６等に示すように、上面部４１と、端面部４２と、端子台部４３と、を主要な部分としている。これらのうち、上面部４１は、ケース４０のうち上側（Ｚ１側）に位置する平板状の部分であり、メガネ型コア２０を上側（Ｚ１側）から受け止めて、当該メガネ型コア２０の上側（Ｚ１側）へ向かう移動を規制する部分である。
【００２４】
また、端面部４２は、ケース４０のうち奥側（Ｙ１側）と手前側（Ｙ２側）にそれぞれ位置する平板状の部分である。この端面部４２は、本実施の形態では、上面部４１よりもＸ軸方向の幅寸法が若干大きく設けられていて、当該上面部４１よりも左側（Ｘ１側）および右側（Ｘ２）側にそれぞれ突出している。この端面部４２の下側（Ｚ２側）の端部（下端部）は、Ｚ軸方向において、端子台部４３の下側（Ｚ２側）の端部（下端部）と同程度の位置に位置している。
【００２５】
ケース４０には、一対の端面部４２を連結するように、一対の端子台部４３が設けられている。この端子台部４３においては、その高さ寸法（Ｚ軸方向に沿う寸法）が、端面部４２の高さ寸法の略半分程度となっている。また、一対の端子台部４３のうち、左側（Ｘ１側）の部位の高さ寸法は当該端子台部４３の中で最も高く設けられている。そして、端子台部４３の左側（Ｘ１側）の部位から右側（Ｘ２側）に向かうと、所定だけＸＹ平面に対して平行な部分が存在し、その平行な部分から更に右側（Ｘ２側）に向かうと、下側（Ｚ２側）に向かって進行するテーパ部となっている。
【００２６】
また、端子台部４３には、複数（図１等においては、Ｘ軸方向の片側にそれぞれ６つずつ）の端子５０が設けられている。端子台部４３を形成する場合、たとえばインサート成型を行うことにより、端子台部４３に対して複数の端子５０の一方側が埋め込まれた状態で形成される。ここで、端子５０は、端子台部４３から右側（Ｘ２側）に向かって所定だけＸＹ平面に対して平行を維持する平行部が存在するものの、その平行な部分を過ぎると、右側（Ｘ２側）に向かって進むにつれて下側（Ｚ２側）に向かって進行するテーパ部となっている。また、テーパ部を過ぎて更に右側（Ｘ２側）に向かうと、再びＸＹ平面に対して平行な実装部となる。この実装部は、実装基板の実装部位に、たとえばディッピングによる半田付け等にて接続される部分である。なお、実装部の下面のＺ軸方向における位置は、端子台部４３および端面部４２のＺ軸方向における位置よりも、下側（Ｚ２側）に位置していることが好ましい。
【００２７】
また、図２等に示すように、端子台部４３のうち、下側（Ｚ２側）の部位には、溝部４３ａが設けられている。溝部４３ａは、端子台部４３の下側（Ｚ２側）の部位から上側（Ｚ１側）に向かって所定だけ窪んでいる部分である。この溝部４３ａの窪み寸法は、たとえば導線の直径よりも若干大きく設けられているものの、端子５０の平行部よりも下側（Ｚ２側）に位置している。また、溝部４３ａの設けられている部位は、端子台部４３のＹ方向において、隣り合う端子５０の間の部分となっている。それにより、端子台部４３のうち端子５０が存在する部分は、下側（Ｚ２側）に向かう柱状となっている。
【００２８】
上述のような端子台部４３と、上面部４１と、端面部４２とで囲まれた部位は、ケース４０の肉部が存在しない開口部分となっている（以後、この部分を側面開口部４４とする。）。一方、ケース４０の下側（Ｚ２側）の部位であって、一対の端面部４２と一対の端子台部４３とで囲まれる部位も、ケース４０の肉部が存在しない開口部分となっている（以後、この部分を下面開口部４５とする。）。
【００２９】
図４から明らかなように、側面開口部４４のＺ軸方向における寸法は、メガネ型コア２０のＺ軸方向における寸法よりも小さく設けられていて、当該メガネ型コア２０がＸ軸方向に沿って、ケース４０から外部に飛び出すのを防止する程度の大きさに設けられている。また、下面開口部４５は、メガネ型コア２０のＸＹ方向における大きさよりも大きく設けられていて、当該下面開口部４５からメガネ型コア２０をケース４０の内部空間に入り込ませることが可能となっている。
【００３０】
ここで、図３、図６等に示すように、ケース４０には、突出部４６とリブ４７とが設けられていて、これらは共にケース４０の内部空間に向かって突出している。突出部４６は、図６に示すように、底面形状が矩形状に設けられていて、Ｚ方向を長手としている。すなわち、突出部４６は、柱状に設けられている。また、突出部４６は、ケース４０の内部空間の四隅に設けられている。この突出部４６のＺ軸方向における寸法Ｈ１は、内部空間のＺ軸方向における寸法Ｈ２の略半分程度となっていて、そのような寸法Ｈ１とすることにより、コイル端末３３を側面開口部４４に向けて引き出す際に、その引き出しが容易なものとなる。しかしながら、かかる寸法Ｈ１は、コイル端末３３の引き出し性が損なわれないものであれば、寸法Ｈ２の略半分程度に限られるものではなく、適宜変更可能である。
【００３１】
また、ケース４０の内部空間に突出部４６が存在することにより、図３に示すように、メガネ型コア２０がＸ軸方向に沿って移動した場合でも、当該メガネ型コア２０と端子台部４３との間に、一定の隙間Ｓが確保される。このため、コイル端末３３がメガネ型コア２０と端子台部４３との間に挟まれて、断線等する不具合を防止可能となっている。図３では、メガネ型コア２０が内部空間において移動し、いずれかの突出部４６に接触している状態が二点鎖線で示されている。このように、メガネ型コア２０が、Ｘ軸方向のいずれかに片寄った場合でも、それぞれの端面部４２に存在する２つのリブ４７は、メガネ型コア２０に対する接触状態を維持するように配置されている。
【００３２】
また、リブ４７は、端面部４２の内壁に設けられていると共に、その底面形状を三角形状としていて、突出の先端に向かうにつれて尖形に形成されている。また、リブ４７は、図３、図６等においては、それぞれの端面部４２に２つずつ（合計４つ）設けられていて、それぞれの端面部４２においては、Ｘ軸方向の中心を境として対称となるように配置されている。このリブ４７は、メガネ型コア２０を保持するものであるが、一方の端面部４２に存在するリブ４７と他方の端面部４２に存在するリブ４７との間の寸法Ｐ（図３においてＹ軸に沿う寸法）は、メガネ型コア２０のＹ軸に沿う寸法Ｑよりも小さく設けられている。そのため、リブ４７の先端側は、メガネ型コア２０によって押し潰される状態となって、当該メガネ型コア２０を保持する。
【００３３】
なお、本実施の形態では、リブ４７は合計４つ設けられている。しかしながら、リブ４７の個数は４つに限られるものではなく、リブ４７が少なくとも３つ以上存在していれば、メガネ型コア２０を安定的に保持可能となっている。
【００３４】
＜コイル端末の導出に関して＞
続いて、以上のような構成を有する磁性素子１０において、コイル端末３３をコイル３０の巻回部３２から引き出して端子５０に絡げるまでの、コイル端末３３の導出について述べる。
【００３５】
図７に示すように、巻回部３２から延伸しているコイル端末３３のうち、一方は、貫通孔２１Ａの縁部Ｅ１を始点として導出される（第１のコイル端末に対応；以後、このコイル端末３３をコイル端末３３Ａとする。）。このコイル端末３３Ａは、図７におけるＺ軸に平行な中心線Ｌｚを挟んで、他方のコイル端末３３（第２のコイル端末に対応；以後、このコイル端末３３をコイル端末３３Ｂとする。）が絡げられる端子５０（以後、この端子５０を端子５０Ａとする。）よりも奥側（Ｙ１側）に位置する端子５０（以後、この端子５０を端子５０Ｂとする。）に絡げられる。
【００３６】
このとき、コイル端末３３Ａは、端子台部４３の表側を通って端子５０Ｂに到達し、所定ターンだけ巻回され、その後半田付け等の手法によりコイル端末３３Ａと端子５０Ｂとが電気的に導通可能な状態で固定される。この場合、手前側（Ｙ２側）から奥側（Ｙ１側）に向かうように見ると、図１から分かるように、コイル端末３３Ａは端子台部４３に対して時計回りに巻回される状態となる。
【００３７】
また、巻回部３２から延伸しているコイル端末３３のうち、他方のコイル端末３３Ｂは、貫通孔２１Ｂの縁部Ｅ２を始点として導出される。このコイル端末３３Ｂは、図７における中心線Ｌｚを挟んで、コイル端末３３Ａが絡げられる端子５０Ｂよりも手前側（Ｙ２側）に位置する端子５０Ａに絡げられる。このとき、コイル端末３３Ｂは、端子台部４３の裏側を通って端子５０に到達し、所定ターンだけ巻回され、その後半田付け等の手法によりコイル端末３３Ｂと端子５０Ａとが電気的に導通可能な状態で固定される。この場合、手前側（Ｙ２側）から奥側（Ｙ１側）に向かうように見ると、図１から分かるように、コイル端末３３Ｂは端子台部４３に対して反時計回りに巻回される状態となる。
【００３８】
これを換言すると、コイル端末３３Ａは端子台部４３の表側を通って端子５０Ｂに絡げられる。また、コイル端末３３Ｂは端子台部４３の裏側を通って端子５０Ａに絡げられる。このとき、２つのコイル端末３３Ａ，３３Ｂは、互いに交差するように配置されている状態となっている。図７においては、ある投影面（図７においては、この投影面はＹＺ平面に平行な投影面となっている）上で、このように２つのコイル端末３３Ａ，３３Ｂが交差する様子が示されている。
【００３９】
また、別の表現を用いると、コイル端末３３Ａは、縁部Ｅ１を始点とし、側面開口部４４を通過して端子５０Ｂに至り、その端子５０Ｂに絡げられている。また、コイル端末３３Ｂは、縁部Ｅ２を始点とし、下面開口部４５を通過して端子５０Ａに至り、その端子５０Ａに絡げられている。そのため、コイル端末３３Ａのうち端子台部４３に差し掛かる部位は、コイル端末３３Ｂのうち端子台部４３に差し掛かる部位よりも手前側（Ｙ２側；一方側）に位置する。しかしながら、コイル端末３３Ａのうち端子５０Ｂに絡げられる部位は、コイル端末３３Ｂのうち端子５０Ａに絡げられる部位よりも奥側（Ｙ１側；他方側）に位置している。
【００４０】
＜本実施の形態における効果＞
以上のような構成の磁性素子１０によれば、コイル端末３３Ａ，３３Ｂが互いに交差するものの、コイル端末３３Ａは端子台部４３の表側を通って端子５０Ｂに至り、コイル端末３３Ｂは端子台部４３の裏側を通って端子５０Ａに至る。そのため、コイル端末３３Ａとコイル端末３３Ｂとは、互いに接触せず（重ねられず）に離れた状態とすることができる。それにより、コイル端末３３Ａとコイル端末３３Ｂとの間でショートが生じるのを防止することが可能となる。
【００４１】
また、本実施の形態では、ケース４０の内部には、突出部４６が設けられている。そのため、ケース４０の内部におけるメガネ型コア２０の移動が突出部４６によって規制される。それにより、コイル端末３３Ａ，３３Ｂが、メガネ型コア２０と端子台部４３との間に挟まれて、断線等する不具合を防止可能となる。
【００４２】
さらに、本実施の形態では、ケース４０の内部には、リブ４７が設けられている。そして、リブ４７の突出の先端側が、メガネ型コア２０によって押し潰されている。このため、リブ４７によってメガネ型コア２０がケース４０に保持される。それによって、ケース４０は、接着剤等を用いることなく、メガネ型コア２０を保持可能となる。ここで、接着剤を用いてケース４０にメガネ型コア２０を固定する場合には、製造における工数が増えると共に、接着剤の使用によって磁性素子１０の特性が変わる虞がある。しかしながら、本実施の形態では、ケース４０にリブ４７が存在することにより、接着剤を用いることなく、メガネ型コア２０がケース４０に保持されるので、製造における工数を減らすことが可能となり、また、接着剤を使用しないため磁性素子１０の特性が変わるのを防ぐことができる。
【００４３】
また、メガネ型コア２０によりリブ４７の突出の先端側が押し潰されるので、リブ４７とメガネ型コア２０との間には、所定の押し付け力が作用する。そのため、ケース４０の内部でメガネ型コア２０が移動するのを防止する摩擦力を良好に与えることが可能となる。
【００４４】
（第２の実施の形態）
以下、本発明の第２の実施の形態に係る磁性素子１０Ａについて、図８から図１０に基づいて説明する。なお、本実施の形態では、上述の第１の実施の形態と同一の部材については、同一の符号を用いて説明する。
【００４５】
図８に示すように、磁性素子１０Ａの端子台部４３には、鉤状凹部４８が設けられている。鉤状凹部４８は、端子台部４３の端子５０Ａの上部側を、Ｘ軸方向に向かって略Ｌ字形状に切り欠くことにより構成されている。すなわち、鉤状凹部４８は、端子台部４３の上面から下方に向かって所定の深さだけ進行する垂直凹部４８ａと、その垂直凹部４８ａの下端側から奥側（Ｙ１側）に向かって所定長さだけ進行する水平凹部４８ｂとが存在している。
【００４６】
また、図８に示すように、水平凹部４８ｂの上部には、端子台部４３が差し掛かっている。以後、この部分を、係止部４８ｃと称呼する。
【００４７】
また、図８に示すように、端子台部４３の奥側（Ｙ１側）の端部には、端子台部４３を略矩形状に切り欠いた窪み部４９が設けられている。図８から明らかなように、窪み部４９の底部４９ａは、突出部４６の下端よりも十分に下側に位置している。それにより、メガネ型コア２０からコイル端末３３を引き出し、最も奥側（Ｙ１側）寄りに位置している端子５０にコイル端末３３を絡げる際、この窪み部４９にコイル端末３３を通過させることができるため、コイル端末３３と突出部４６とが干渉することがなくなる。
【００４８】
また、図８、図９に示すように、本実施の形態では、端子５０のうち一部（本実施の形態では合計４つの端子５０）には、上部端子５１が連続している。すなわち、図９に示すように、端子台部４３には、端子５０と上部端子５１とが連続した、連続端子体５２が取り付けられていて、この連続端子体５２の一部が端子台部４３に埋め込まれている状態となっている。そして、連続端子体５２の端子台部４３への埋め込み部分から、端子５０と上部端子５１とが突出している構成となっている。
【００４９】
ここで、本実施の形態では、図１０に示すようなフープ材６０を、たとえば上型と下型とが付き合わされるタイプの金型の内部に設置する。このフープ材６０は、井形状を為す外枠６１を有していて、この外枠６１で囲まれる部分の内方に向かうように端子用突出部６２も設けられている。
【００５０】
連続端子体５２および端子５０を形成する場合、溶融樹脂を金型内部のキャビティに流し込んで、端子用突出部６２の一部が埋め込まれた状態でケース４０を形成する。その後、図１０における切断線Ｃ１と切断線Ｃ２に沿って右側（Ｘ２側）に位置する端子用突出部６２を切断すると、図８および図９に示すような、連続端子体５２が形成される。なお、端子用突出部６２のうち、左側（Ｘ１側）に位置するものは、ケース４０が形成された後に、切断線Ｃ３に沿って端子用突出部６２を切断すると、図８および図９に示すような、端子５０が形成される。
【００５１】
なお、本実施の形態では、図８から明らかなように、端子台部４３に鉤状凹部４８が設けられている部位には連続端子体５２（上部端子５１）が存在しなく、同じく端子台部４３に窪み部４９が設けられている部位には連続端子体５２（上部端子５１）が存在しない。また、本実施の形態では、鉤状凹部４８、窪み部４９および連続端子体５２は、ケース４０のうち右側（Ｘ２側）に位置する端子台部４３に設けられている。しかしながら、鉤状凹部４８、窪み部４９および連続端子体５２のうち少なくとも１つは、ケース４０のうち左側（Ｘ１側）に位置する端子台部４３に設けるようにしても良い。
【００５２】
＜コイル端末の導出に関して＞
続いて、以上のような構成を有する磁性素子１０Ａの、コイル端末３３をコイル３０の巻回部３２から端子５０に絡げるまでの導出について述べる。
【００５３】
本実施の形態においては、コイル端末３３Ａについては、上述の第１の実施の形態のように、縁部Ｅ１を始点とし、端子台部４３の表側を通って端子５０Ｂに到達し、所定ターンだけ巻回され、その後半田付け等の手法によりコイル端末３３Ａと端子５０Ｂとが電気的に導通可能な状態で固定される。
【００５４】
しかしながら、コイル端末３３Ｂは、始点である縁部Ｅ２から下側（Ｚ２側）に向かって進行すると、端子台部４３の裏側を通り、その後鉤状凹部４８（特に水平凹部４８ｂ）に入り込んでいる。このとき、コイル端末３３Ｂとコイル端末３３Ａとの間には、係止部４８ｃが存在している。すなわち、係止部４８ｃがコイル端末３３Ｂを上部から押さえ付けているため（図８参照）、コイル端末３３Ａとコイル端末３３Ｂとは直接接触せず、離れた状態を維持できる。
【００５５】
そして、この鉤状凹部４８（特に水平凹部４８ｂ）を通過すると、端子台部４３の表側に回り込んで、その後端子５０Ａに到達する。そして、所定ターンだけ巻回され、その後半田付け等の手法によりコイル端末３３Ｂと端子５０Ａとが電気的に導通可能な状態で固定される。
【００５６】
＜本実施の形態における効果＞
以上のような構成の磁性素子１０Ａによれば、コイル端末３３Ｂが端子台部４３の裏側から鉤状凹部４８を通過し、端子台部４３の表側に回り込むことにより、コイル端末３３Ａとコイル端末３３Ｂとは、互いに接触せず（重ねられず）に離れた状態とすることができる。それにより、コイル端末３３Ａとコイル端末３３Ｂとの間でショートが生じるのを防止することが可能となる。
【００５７】
また、本実施の形態では、端子台部４３に窪み部４９が設けられている。そのため、最も奥側（Ｙ１側）寄りに位置している端子５０にコイル端末３３を絡げる際、この窪み部４９にコイル端末３３を通過させることができ、コイル端末３３と突出部４６とが干渉するのを防止可能となる。
【００５８】
さらに、本実施の形態では、連続端子体５２が設けられている。そのため、コイル端末３３を端子５０のみならず、上部端子５１に対しても絡げることが可能となり、コイル端末３３を絡げる際の選択の幅を広げることが可能となる。また、一方のコイル端末３３を端子５０に絡げ、その隣に位置する連続端子体５２の上部端子５１に他方のコイル端末３３を絡げるようにすれば、絡げる位置で隣り合うコイル端末３３の間の間隔を広げることが可能となり、それらの間でショートが生じるのを一層良好に防止可能となる。
【００５９】
＜変形例＞
以上、本発明の一実施の形態に係る磁性素子１０，１０Ａについて説明したが、本発明はこれ以外にも種々変形可能となっている。以下、それについて述べる。
【００６０】
上述の各実施の形態においては、コアとしてメガネ型コア２０を用いる場合について説明している。しかしながら、コアは、メガネ型コア２０には限られず、たとえば、ドラム型コア、側面形状がＴ字型のコア等をコアとして用いるようにしても良い。また、メガネ型コア２０は、複数のコア部材を付き合わせる等により構成されていても良い。
【００６１】
また、上述の各実施の形態では、コイル３０について、丸線の導線３１から構成されるものについて説明している。しかしながら、コイルは、丸線の導線３１から構成されるものには限られず、平角線等の幅広の導線から構成されていても良い。
【００６２】
また、上述の各実施の形態では、ケース４０としては、上面部４１、端面部４２および端子台部４３を有し、さらに側面開口部４４および下面開口部４５を有するものについて説明している。しかしながら、ケースは、このような形状には限られず、たとえば、上面部４１または端面部４２が存在しないものをケースとしても良い。また、端子台部４３が別体的なものをケースとしても良い。
【００６３】
また、上述の各実施の形態における突出部４６は、柱状には限られず、メガネ型コア２０がＸ軸方向に沿って移動した場合に、当該メガネ型コア２０と端子台部４３との間に隙間Ｓが確保可能であれば、どのような形状であっても良い。なお、柱状以外の突出部の形状としては、円柱状、楕円柱状、多角柱状、突出部４６のようなＺ軸を長手とする柱状ではなくＸ軸またはＹ軸を長手とする種々の形状等が挙げられる。また、上述の各実施の形態のケース４０において、突出部４６を省略する構成を採用しても良い。
【００６４】
また、上述の各実施の形態におけるリブ４７は、その底面形状を三角形状としているが、当該リブ４７は、突出の先端に向かうにつれて尖形状となっていれば、どのような形状であっても良い。なお、底面形状が三角形状以外のものとしては、四角形状等の角部の存在する多角形状、角部は存在するが他の辺が曲線となる形状等が挙げられる。また、リブ４７は、ケース４０とは別の材質から構成されていても良い。たとえば、リブ４７は、ケース４０にエラストマーを付着させることによって構成されていても良い。また、上述の各実施の形態のケース４０において、リブ４７を省略する構成を採用しても良い。
【００６５】
また、上述の第２の実施の形態では、端子５０は、連続端子体５２の一部として構成されている。しかしながら、連続端子体５２はこのような形状には限られず、たとえば、２つの上部端子と端子５０とが連続している形状としても良い。
【００６６】
また、上述の各実施の形態では、本発明を適用する磁性素子として、トランスの場合について説明している。しかしながら、磁性素子はトランスに限られるものではなく、トランス以外の磁性素子（インダクタ、チョークコイル、フィルタ等）に本発明を適用するようにしても良い。また、上述の実施の形態における磁性素子１０は、その用途は特に限定されるものではなく、種々の用途に用いることが可能である。
【産業上の利用可能性】
【００６７】
本発明の磁性素子は、電気機器の分野において利用することができる。
【符号の説明】
【００６８】
１０…磁性素子
２０…メガネ型コア（コアに対応）
２１，２１Ａ，２１Ｂ…貫通孔
２２…中間部
２３…端部
３０…コイル
３１…導線
３２…巻回部
３３，３３Ａ，３３Ｂ…コイル端末
４０…ケース
４１…上面部
４２…端面部
４３…端子台部
４４…側面開口部
４５…下面開口部
４６…突出部
４７…リブ
４８…鉤状凹部
４８ａ…垂直凹部
４８ｂ…水平凹部
４９…窪み部
５０…端子
５１…上部端子
５２…連続端子体
【図１】
2011040443.tif 000003
【図２】
2011040443.tif 000004
【図３】
2011040443.tif 000005
【図４】
2011040443.tif 000006
【図５】
2011040443.tif 000007
【図６】
2011040443.tif 000008
【図７】
2011040443.tif 000009
【図８】
2011040443.tif 000010
【図９】
2011040443.tif 000011
【図１０】
2011040443.tif 000012
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
コアと、
絶縁性の被膜によって覆われている導線が巻回された状態で上記コアに配置されている第１及び第２のコイルと、
上記コアを保持すると共に、複数の端子を有する端子台部を備えるケースと、
を具備し、
上記第１及び第２のコイルの巻回部から延びる第１及び第２のコイル端末が互いに交差するように配置され、
上記第１及び第２のコイル端末のうちいずれか一方が上記端子台部の表側を通っていずれか一の上記端子に絡げられ、上記第１及び第２のコイル端末のうちいずれか他方が上記端子台部の裏側を通っていずれか他の上記端子に絡げられる、
ことを特徴とする磁性素子。
【請求項２】
請求項１記載の磁性素子であって、
前記ケースは、対向して設けられる一対の端面部と、一対の端面部を連結する上面部と、上記端面部および上記上面部とは異なる面側である側面側に位置する前記端子台部とを具備し、
上記上面部、上記端面部および前記端子台部によって囲まれると共に前記ケースの肉部が存在しない開口部分である側面開口部が設けられ、
上記端面部および前記端子台部によって囲まれ、かつ上記上面部と対向すると共に前記ケースの肉部が存在しない開口部分である下面開口部が設けられると共に、
前記第１のコイル端末および前記第２のコイル端末のうちいずれか一方が上記側面開口部を通過し、前記第１のコイル端末および前記第２のコイル端末のうちいずれか他方が上記下面開口部を通過する、
ことを特徴とする磁性素子。
【請求項３】
請求項１または２記載の磁性素子であって、
前記ケースの内部空間には、前記端子台部よりも当該ケースの内方に向かって突出すると共に前記端子台部に向かう前記コアの移動を規制する突出部が設けられていることを特徴とする磁性素子。
【請求項４】
請求項３記載の磁性素子であって、
前記突出部は、前記ケースの内部空間の四隅にぞれぞれ配置されていると共に、
前記ケースの内部空間において前記上面部から離間する向きの寸法に対して、前記突出部の上記内部空間において前記上面部から離間する向きの寸法は、略半分に設けられている、
ことを特徴とする磁性素子。
【請求項５】
コアと、
絶縁性の被膜によって覆われている導線が巻回された状態で上記コアに配置されている第１及び第２のコイルと、
上記コアを保持すると共に、複数の端子を有する端子台部を備えるケースと、
を具備し、
上記第１及び第２のコイルの巻回部から延びる第１及び第２のコイル端末が互いに交差するように配置され、
上記第１及び第２のコイル端末のうちいずれか一方が上記端子台部の表側を通っていずれか一の上記端子に絡げられ、上記第１及び第２のコイル端末のうちいずれか他方が上記端子台部の裏側を通っていずれか他の上記端子に絡げられ、
上記ケースの内部空間には、上記端子台部とは異なる少なくとも２つの内壁面から突出する少なくとも３つ以上のリブが設けられていると共に、
上記リブは、突出の先端に向かうにつれて尖形状に設けられていて、
この尖形状のリブを先端側から押し潰すことにより、上記コアが上記ケースの内部空間に保持される、
ことを特徴とする磁性素子。
【手続補正２】
【補正対象書類名】明細書
【補正対象項目名】００１０
【補正方法】変更
【補正の内容】
【００１０】
また、本発明の磁性素子の他の側面は、ケースは、対向して設けられる一対の端面部と、一対の端面部を連結する上面部と、端面部および上面部とは異なる面側である側面側に位置する前記端子台部とを具備し、上面部、端面部および端子台部によって囲まれると共にケースの肉部が存在しない開口部分である側面開口部が設けられ、端面部および端子台部によって囲まれ、かつ上面部と対向すると共にケースの肉部が存在しない開口部分である下面開口部が設けられると共に、第１のコイル端末および第２のコイル端末のうちいずれか一方が側面開口部を通過し、第１のコイル端末および第２のコイル端末のうちいずれか他方が下面開口部を通過することが好ましい。
また、本発明の磁性素子の他の側面は、上述の発明において、ケースの内部空間には、端子台部よりも当該ケースの内方に向かって突出すると共に端子台部に向かうコアの移動を規制する突出部が設けられていることが好ましい。
【手続補正３】
【補正対象書類名】明細書
【補正対象項目名】００１２
【補正方法】変更
【補正の内容】
【００１２】
さらに、本発明の磁性素子の他の側面は、上述の発明において、突出部は、ケースの内部空間の四隅にぞれぞれ配置されていると共に、ケースの内部空間において上面部から離間する向きの寸法に対して、突出部の内部空間において上面部から離間する向きの寸法は、略半分に設けられていることが好ましい。
また、本発明の磁性素子の他の側面は、コアと、絶縁性の被膜によって覆われている導線が巻回された状態でコアに配置されている第１及び第２のコイルと、コアを保持すると共に、複数の端子を有する端子台部を備えるケースと、を具備し、第１及び第２のコイルの巻回部から延びる第１及び第２のコイル端末が互いに交差するように配置され、第１及び第２のコイル端末のうちいずれか一方が端子台部の表側を通っていずれか一の端子に絡げられ、第１及び第２のコイル端末のうちいずれか他方が端子台部の裏側を通っていずれか他の端子に絡げられ、ケースの内部空間には、端子台部とは異なる少なくとも２つの内壁面から突出する少なくとも３つ以上のリブが設けられていると共に、リブは、突出の先端に向かうにつれて尖形状に設けられていて、この尖形状のリブを先端側から押し潰すことにより、コアがケースの内部空間に保持されることが好ましい。